(57)【要約】      （修正有）【課題】廉価で、ほとんど保守なし、摩耗なし操作可能な排気ガスターボチャージャーを提供すること。【解決手段】ハウジング２と、ハウジングに取り付けられたシャフト３と、シャフトに配置されたコンプレッサホイール５及びタービンホイール４と、制御要素７と、アクチュエータ８と、アクチュエータを制御要素に接続する調節ロッド９とを備える排気ガスターボチャージャ１であって、電磁的減衰装置１０であって、磁界発生要素と、閉電気回路を有する第１のコイルとを有し、磁界発生要素又は第１のコイルのいずれかが調節ロッドに締結される。【選択図】図１
2018059516.tif 000002
【特許請求の範囲】
【請求項１】
−  ハウジング（２）と、
−  前記ハウジング（２）に取り付けられたシャフト（３）と、
−  前記シャフト（３）に配置されたコンプレッサホイール（５）及び前記シャフト（３）に配置されたタービンホイール（４）と、
−  制御要素（７）と、
−  アクチュエータ（８）と、
−  前記アクチュエータ（８）を前記制御要素（７）に接続する調節ロッド（９）とを備える排気ガスターボチャージャ（１）において、
減衰装置（１０）であって、
−  磁界発生要素（１４）と、
−  閉電気回路（１７）を有する第１のコイル（１５）とを有し、
−  前記磁界発生要素（１４）又は前記第１のコイル（１５）のいずれかが前記調節ロッド（９）に締結される減衰装置（１０）を特徴とする、
排気ガスターボチャージャ（１）。
【請求項２】
前記磁界発生要素（１４）が、電気的に付勢される第２のコイルの形態である請求項１に記載の排気ガスターボチャージャ。
【請求項３】
前記磁界発生要素（１４）が永久磁石の形態である請求項１に記載の排気ガスターボチャージャ。
【請求項４】
抵抗（１８）、好ましくは調節可能な抵抗が前記第１のコイル（１５）の前記電気回路（１７）に配置される請求項１〜３のいずれか一項に記載の排気ガスターボチャージャ。
【請求項５】
前記第１のコイル（１５）及び／又は前記第２のコイルが、前記調節ロッド（９）の周りを取り囲んで配置される請求項１〜４のいずれか一項に記載の排気ガスターボチャージャ。
【請求項６】
前記磁界発生要素（１４）が前記調節ロッド（９）に締結され、前記第１のコイル（１５）が前記ハウジング（２）に対して位置固定して、好ましくは前記アクチュエータ（８）に配置され、又は前記第１のコイル（１５）が前記調節ロッド（９）に締結され、前記磁界発生要素（１４）が前記ハウジング（２）に対して位置固定して、好ましくは前記アクチュエータ（８）に配置される請求項１〜５のいずれか一項に記載の排気ガスターボチャージャ。
【請求項７】
前記アクチュエータ（８）が、圧力制御される制御カプセルの形態である請求項１〜６のいずれか一項に記載の排気ガスターボチャージャ。
【請求項８】
前記制御要素（７）が、ウェイストゲートフラップ又は可変タービン形状を調整するために設計される請求項１〜７のいずれか一項に記載の排気ガスターボチャージャ。
【発明の詳細な説明】
【技術分野】
【０００１】
本発明は、請求項１の前提部に記載の排気ガスターボチャージャに関する。
【背景技術】
【０００２】
排気ガスターボチャージャでは、アクチュエータと調節ロッドとによって作動される例えばウェイストゲートフラップ又は可変タービン形状などの様々な制御要素がある。調節ロッド及び制御要素の機構は、事実上減衰なしに、外部励起によって振動を実行するように励起することができる。非共振の場合でも、前記振動は、可動部品の摩耗増大をもたらし得る。特に、アクチュエータが一体化されたばねを有する制御カプセルの形態である場合、外部励起によって非常に容易に振動を実行するように励起することができるばね質量系が形成される。
【発明の概要】
【発明が解決しようとする課題】
【０００３】
本発明の目的は、製造が廉価である一方で、ほとんど保守なしにかつほとんど摩耗なしに操作することができる、請求項１の前提部に記載の排気ガスターボチャージャを提供することである。
【課題を解決するための手段】
【０００４】
この目的は、請求項１の特徴によって達成される。従属請求項は、本発明の有利な発展形態に関する。
【０００５】
本発明によれば、電磁気的減衰装置は調節ロッドに配置される。減衰装置の動作モードは、レンツの法則の適用に基づいている。減衰装置は、磁界発生要素及び第１のコイルから構成される。磁界発生要素又は第１のコイルは、調節ロッドに締結される。それぞれの他の構成要素は位置固定される。第１のコイルは、特に抵抗を有する閉電気回路を備える。
【０００６】
磁界発生要素は、電気的に付勢されたコイルの形態であることが好ましい。磁界発生要素は、代わりに永久磁石の形態でもよい。
【０００７】
減衰は磁気作用によって実現され、減衰装置と調節ロッドとの間の摩耗によって悪影響を受ける機械的な接触がない。
【０００８】
磁界発生要素は、調節ロッドの軸方向に磁界を発生する。第１のコイルは、電圧が第１のコイルに誘発されるように前記磁界で移動する。第１のコイルの前記電圧は、次に磁界を発生し、この磁界は、レンツの法則に従って元の原因に対抗する。すなわち、反対極性の磁界が第１のコイルに発生され、その結果、調節ロッドの移動が制動されるか又は減衰される。調節ロッドの移動が速くなるほど、制動力が強くなる。減衰の強度は、第１のコイルの電気回路の抵抗によって調節できることが好ましい。
【０００９】
本発明に従って提案された減衰は、摩耗の影響をなんら受けず、この結果、減衰作用は、例えば機械的な減衰装置に当てはまるようには、経時的に弱くならない。
【００１０】
本発明のさらなる詳細、利点及び特徴は、図面を参照して例示的な実施形態の以下の説明から明らかになる。
【図面の簡単な説明】
【００１１】
【図１】例示的な実施形態による本発明による排気ガスターボチャージャの図面である。
【図２】例示的な実施形態による本発明による排気ガスターボチャージャの概略詳細図である。
【発明を実施するための形態】
【００１２】
排気ガスターボチャージャ１の例示的な実施形態について、図１及び図２に基づき以下に詳細に説明する。
【００１３】
図１は、排気ガスターボチャージャ１の部分切り取り図を示している。排気ガスターボチャージャ１は、シャフト３が取り付けられるハウジング２を備える。タービンホイール４及びコンプレッサホイール５は、共に回転するようにシャフト３に着座している。タービンホイール４は、流入ダクト６を介して排気ガスの流れによって衝突される。タービンホイール４は、このように回転させられる。シャフト３を介して、コンプレッサホイール５が同様に回転させられ、したがって、内燃機関用の給気を圧縮する。
【００１４】
ウェイストゲートダクトは、タービンホイール４を迂回して、流入ダクト６から排気ガス出口に直接至る。ウェイストゲートダクトは、ウェイストゲートフラップによって開閉することができる。ウェイストゲートフラップは、制御要素７によって移動させられる。
【００１５】
同様に、制御カプセルの形態のアクチュエータ８が、ハウジング２に取り付けられる。圧力ライン２０は前記アクチュエータ８内に出る。アクチュエータ８は、前記の圧力ライン２０を介して作動される。アクチュエータ８は、調節ロッド９を介して制御要素７に接続される。アクチュエータ８で発生された移動は、前記調節ロッド９を介して制御要素７に伝達される。
【００１６】
減衰装置１０は、調節ロッド９の移動を減衰するために設けられる。図１は、前記減衰装置１０の位置を示しているに過ぎない。
【００１７】
減衰装置１０の正確な構造が図２に示されている。図２は、アクチュエータ８、調節ロッド９、制御要素７及び減衰装置１０の単純化した概略図を示している。
【００１８】
制御カプセルの形態のアクチュエータ８は、調節ロッド９に接続されるばね１１を備える。ばね１１は、一方の端部で調節ロッド９に対して支持され、他方の端部でアクチュエータ８のハウジングに対して支持される。ばね１１及び調節ロッド９は、ダイヤフラム１２とダイヤフラムプレート１３とによって移動させられる。
【００１９】
減衰装置１０は、第１のコイル１５及び磁界発生要素１４を備える。磁界発生要素１４は、第２のコイルの形態である。第１のコイル１５は、抵抗１８が配置される閉電気回路１７を備える。第２のコイルの形態の磁界発生要素１４は、電圧供給部１９によって電気的に付勢される。
【００２０】
調節ロッド９は、第１のコイル１５を通して、かつ第２のコイルの形態の磁界発生要素１４を通して延びる。
【００２１】
第１のコイル１５は、第１のコイル１５が調節ロッド９と同一の移動１６を実行するように、調節ロッド９に固定接続される。
【００２２】
磁界発生要素１４は、ハウジング２に対して位置固定して配置される。図示した例示的な実施形態では、磁界発生要素１４は、アクチュエータ８に直接取り付けられる。
【００２３】
磁界発生要素１４は第１の磁界を発生する。調節ロッド９の移動の結果、第１のコイル１５は前記第１の磁界で移動する。この結果、電圧が第１のコイル１５で誘発される。次に、前記電圧はコイル１５に別の磁界を発生する。前記別の磁界はその元の原因に対抗し、この結果、調節ロッド９の移動の減衰が行われる。
【００２４】
図示した例示的な実施形態の代わりとして、磁界発生要素１４は、永久磁石の形態であることが可能である。さらに、磁界発生要素１４を調節ロッド９に固定して取り付け、したがって、移動１６を実行させることも可能である。この場合、第１のコイル１５は、ハウジング２に対して位置固定して取り付けられる。
【００２５】
本発明の上述の説明に加えて、本発明の追加の開示のために図１及び図２の本発明の概略図が本明細書により明示的に参照される。
【符号の説明】
【００２６】
１  排気ガスターボチャージャ
２  ハウジング
３  シャフト
４  タービンホイール
５  コンプレッサホイール
６  流入ダクト
７  制御要素
８  アクチュエータ
９  調節ロッド
１０  減衰装置
１１  ばね
１２  ダイヤフラム
１３  ダイヤフラムプレート
１４  第２のコイルとして形成された磁界発生要素
１５  第１のコイル
１６  移動
１７  電気回路
１８  抵抗
１９  電圧供給部
２０  圧力ライン
【図１】
2018059516.tif 000003
【図２】
2018059516.tif 000004
【手続補正書】
【提出日】平成30年1月10日(2018.1.10)
【手続補正１】
【補正対象書類名】特許請求の範囲
【補正対象項目名】全文
【補正方法】変更
【補正の内容】
【特許請求の範囲】
【請求項１】
−  ハウジング（２）と、
−  前記ハウジング（２）に取り付けられたシャフト（３）と、
−  前記シャフト（３）に配置されたコンプレッサホイール（５）及び前記シャフト（３）に配置されたタービンホイール（４）と、
−  ウェイストゲートフラップ又は可変タービン形状から選択された制御要素（７）と、
−  アクチュエータ（８）と、
−  前記アクチュエータ（８）を前記制御要素（７）に接続する調節ロッド（９）とを備える排気ガスターボチャージャ（１）において、
振動減衰装置（１０）であって、
−  磁界発生要素（１４）と、
−  閉電気回路（１７）を有する第１のコイル（１５）とを有し、
−  前記磁界発生要素（１４）又は前記第１のコイル（１５）のいずれかが前記調節ロッド（９）に締結される振動減衰装置（１０）をさらに備え、
前記磁界発生要素（１４）は、前記調節ロッド（９）の軸方向に第１の磁界を発生し、
前記第１のコイル（１５）が前記磁界の中で移動した場合、電圧が前記第１のコイル（１５）で誘発され、次に、前記第１のコイルの前記電圧は、レンツの法則に従って第１のコイル（１５）に反極性の磁界を発生し、
逆磁界は、前記調節ロッド（９）の振動減衰をもたらす、
排気ガスターボチャージャ（１）。
【請求項２】
−  ハウジング（２）と、
−  前記ハウジング（２）に取り付けられたシャフト（３）と、
−  前記シャフト（３）に配置されたコンプレッサホイール（５）及び前記シャフト（３）に配置されたタービンホイール（４）と、
−  制御要素（７）と、
−  アクチュエータ（８）と、
−  前記アクチュエータ（８）を前記制御要素（７）に接続する調節ロッド（９）とを備える排気ガスターボチャージャ（１）において、
減衰装置（１０）であって、
−  閉電気回路（１７）を有する第１のコイル（１５）と、
−  電気的に付勢される第２のコイルの形態である磁界発生要素（１４）とを有し、
−  前記磁界発生要素（１４）又は前記第１のコイル（１５）のいずれかが前記調節ロッド（９）に締結される減衰装置（１０）をさらに備える、
排気ガスターボチャージャ（１）。
【請求項３】
前記磁界発生要素（１４）が永久磁石の形態である請求項１に記載の排気ガスターボチャージャ。
【請求項４】
抵抗もしくは抵抗器（１８）が、前記第１のコイル（１５）の前記閉電気回路（１７）に配置される、請求項１に記載の排気ガスターボチャージャ。
【請求項５】
前記第１のコイル（１５）及び／又は前記磁界発生要素（１４）が、前記調節ロッド（９）の周りを取り囲んで配置される、請求項１に記載の排気ガスターボチャージャ。
【請求項６】
前記磁界発生要素（１４）が前記調節ロッド（９）に締結され、前記第１のコイル（１５）が前記ハウジング（２）に対して位置固定して配置され、又は前記第１のコイル（１５）が前記調節ロッド（９）に締結され、前記磁界発生要素（１４）が前記ハウジング（２）に対して位置固定して配置される、請求項１に記載の排気ガスターボチャージャ。
【請求項７】
前記アクチュエータ（８）が、圧力制御される制御カプセルの形態である、請求項１に記載の排気ガスターボチャージャ。
【請求項８】
前記制御要素（７）が、ウェイストゲートフラップ又は可変タービン形状を調整するために設計される、請求項１に記載の排気ガスターボチャージャ。
【請求項９】
調節可能な抵抗もしくは抵抗器（１８）が、前記第１のコイル（１５）の前記閉電気回路（１７）に配置される、請求項１に記載の排気ガスターボチャージャ。
【請求項１０】
前記磁界発生要素（１４）が前記調節ロッド（９）に締結され、前記第１のコイル（１５）が、前記アクチュエータ（８）上で前記ハウジング（２）に対して位置固定して配置され、又は前記第１のコイル（１５）が前記調節ロッド（９）に締結され、前記磁界発生要素（１４）が、前記アクチュエータ（８）上で前記ハウジング（２）に対して位置固定して配置される、請求項１に記載の排気ガスターボチャージャ。